(57)【特許請求の範囲】
【請求項１】
第１の無線アクセス技術（ＲＡＴ）の第１の局及び第２のＲＡＴの第２の局と通信するために移動局（ＭＳ）が実行する方法であって、
再割り当てする多入力多出力（ＭＩＭＯ）リソースの組を示す要求メッセージを第１のＲＡＴの基地局（ＢＳ）に送信することと、
少なくとも１つの間隔中に、前記第１のＲＡＴの前記ＢＳが、再割り当てされないＭＩＭＯリソースを用いて前記ＭＳと通信することを示す確認応答メッセージを、前記第１のＲＡＴの前記ＢＳから受信することと、
走査継続時間中に、前記再割り当てされないＭＩＭＯリソースを用いて前記第１のＲＡＴの前記ＢＳと通信し及び前記再割り当てされたリソースを用いて前記第２のＲＡＴのＢＳと通信することと、
通常の継続時間中に、前記再割り当てされた及び前記再割り当てされないＭＩＭＯリソースを用いて前記第１のＲＡＴの前記ＢＳと通信すること、とを備える、方法。
【請求項２】
前記第１のＲＡＴは、電気電子学会（ＩＥＥＥ）８０２．１６規格系統の１つ以上の規格に準拠する請求項１に記載の方法。
【請求項３】
再割り当てするＭＩＭＯリソースの組を示す要求メッセージを第１のＲＡＴのＢＳに送信することは、再割り当てするＭＩＭＯリソースの前記組を示すモバイル走査要求メッセージを送信することを備える請求項１に記載の方法。
【請求項４】
前記第２のＲＡＴは、符号分割多元接続（ＣＤＭＡ）ＲＡＴを備える請求項１に記載の方法。
【請求項５】
移動局（ＭＳ）と通信するための方法であって、
再割り当てする前記ＭＳの多入力多出力（ＭＩＭＯ）リソースの組を示す要求メッセージを第１の無線アクセス技術（ＲＡＴ）の基地局（ＢＳ）によって受信することと、
少なくとも１つの間隔中に、前記第１のＲＡＴの前記ＢＳが、再割り当てされないＭＩＭＯリソースを用いて前記ＭＳと通信することを示す確認応答メッセージを、前記第１のＲＡＴの前記ＢＳによって送信することと、
走査継続時間中に、前記ＭＳによる前記再割り当てされないＭＩＭＯリソースのみの前記使用を前提にして第１の送信モードで前記ＭＳと通信することと、ここで、前記ＭＳは、前記再割り当てされたＭＩＭＯリソースを用いて第２のＲＡＴのＢＳと通信する、
通常の継続時間中に、前記ＭＳによる前記再割り当てされた及び前記再割り当てされないＭＩＭＯリソースの前記使用を前提にして第２の送信モードで前記ＭＳと通信すること、とを備える、方法。
【請求項６】
前記ＲＡＴは、電気電子学会（ＩＥＥＥ）８０２．１６規格系統の１つ以上の規格に準拠する請求項５に記載の方法。
【請求項７】
再割り当てする前記ＭＳのＭＩＭＯリソースの組を示す要求メッセージをＲＡＴのＢＳによって受信することは、再割り当てするＭＩＭＯリソースの前記組を示すモバイル走査要求メッセージを受信することを備える請求項５に記載の方法。
【請求項８】
前記第１及び第２送信モードは、異なる対応するデータレートを有する請求項５に記載の方法。
【請求項９】
第１の無線アクセス技術（ＲＡＴ）の第１の局及び第２のＲＡＴの第２の局と通信するための装置であって、
再割り当てする多入力多出力（ＭＩＭＯ）リソースの組を示す要求メッセージを前記第１のＲＡＴの基地局（ＢＳ）に送信するための論理と、
少なくとも１つの間隔中に、前記第１のＲＡＴの前記ＢＳが、再割り当てされないＭＩＭＯリソースを用いて前記ＭＳと通信することを示す確認応答メッセージを、前記第１のＲＡＴの前記ＢＳから受信するための論理と、
走査継続時間中に、前記再割り当てされないＭＩＭＯリソースを用いて前記第１のＲＡＴの前記ＢＳと通信し及び前記再割り当てされたＭＩＭＯリソースを用いて前記第２のＲＡＴのＢＳと通信するための論理と、
通常の継続時間中に、前記再割り当てされた及び前記再割り当てされないＭＩＭＯリソースを用いて前記第１のＲＡＴの前記ＢＳと通信するための論理と、を備える、装置。
【請求項１０】
前記第１のＲＡＴは、電気電子学会（ＩＥＥＥ）８０２．１６規格系統の１つ以上の規格に準拠する請求項９に記載の装置。
【請求項１１】
再割り当てするＭＩＭＯリソースの組を示す要求メッセージを第１のＲＡＴのＢＳに送信するための前記論理は、再割り当てするＭＩＭＯリソースの前記組を示すモバイル走査要求メッセージを送信するように構成される請求項９に記載の装置。
【請求項１２】
前記第２のＲＡＴは、符号分割多元接続（ＣＤＭＡ）ＲＡＴを備える請求項９に記載の装置。
【請求項１３】
移動局（ＭＳ）と通信するための装置であって、
再割り当てする前記ＭＳの多入力多出力（ＭＩＭＯ）リソースの組を示す要求メッセージを第１の無線アクセス技術（ＲＡＴ）の基地局（ＢＳ）によって受信するための論理と、
少なくとも１つの間隔中に、前記第１のＲＡＴの前記ＢＳが、再割り当てされないＭＩＭＯリソースを用いて前記ＭＳと通信することを示す確認応答メッセージを、前記第１のＲＡＴの前記ＢＳによって送信するための論理と、
走査継続時間中に、前記ＭＳによる前記再割り当てされないＭＩＭＯリソースのみの前記使用を前提にして第１の送信モードで前記ＭＳと通信するための論理と、ここで、前記ＭＳは、前記再割り当てされたＭＩＭＯリソースを用いて第２のＲＡＴのＢＳと通信する、
通常の継続時間中に、前記ＭＳによる前記再割り当てされた及び再割り当てされないＭＩＭＯリソースの前記使用を前提にして第２の送信モードで前記ＭＳと通信するための論理と、を備える、装置。
【請求項１４】
前記ＲＡＴは、電気電子学会（ＩＥＥＥ）８０２．１６規格系統の１つ以上の規格に準拠する請求項１３に記載の装置。
【請求項１５】
再割り当てする前記ＭＳのＭＩＭＯリソースの組を示す要求メッセージを前記第１のＲＡＴのＢＳによって受信するための前記論理は、再割り当てするＭＩＭＯリソースの前記組を示すモバイル走査要求メッセージを受信するように構成される請求項１３に記載の装置。
【請求項１６】
前記第１及び第２送信モードは、異なる対応するデータレートを有する請求項１３に記載の装置。
【請求項１７】
第１の無線アクセス技術（ＲＡＴ）の第１の局及び第２のＲＡＴの第２の局と通信するための装置であって、
再割り当てする多入力多出力（ＭＩＭＯ）リソースの組を示す要求メッセージを前記第１のＲＡＴの基地局（ＢＳ）に送信するための手段と、
少なくとも１つの間隔中に、前記第１のＲＡＴの前記ＢＳが、再割り当てされないＭＩＭＯリソースを用いて前記ＭＳと通信することを示す確認応答メッセージを、前記第１のＲＡＴの前記ＢＳから受信するための手段と、
走査継続時間中に、前記再割り当てされないＭＩＭＯリソースを用いて前記第１のＲＡＴの前記ＢＳと通信し及び前記再割り当てされたＭＩＭＯリソースを用いて前記第２のＲＡＴのＢＳと通信するための手段と、
通常の継続時間中に、前記再割り当てされた及び前記再割り当てされないＭＩＭＯリソースを用いて前記第１のＲＡＴの前記ＢＳと通信するための手段と、を備える、装置。
【請求項１８】
前記第１のＲＡＴは、電気電子学会（ＩＥＥＥ）８０２．１６規格系統の１つ以上の規格に準拠する請求項１７に記載の装置。
【請求項１９】
再割り当てするＭＩＭＯリソースの組を示す要求メッセージを第１のＲＡＴのＢＳに送信するための前記手段は、再割り当てするＭＩＭＯリソースの前記組を示すモバイル走査要求メッセージを送信するように構成される請求項１７に記載の装置。
【請求項２０】
前記第２のＲＡＴは、符号分割多元接続（ＣＤＭＡ）ＲＡＴを備える請求項１７に記載の装置。
【請求項２１】
移動局（ＭＳ）と通信するための装置であって、
再割り当てする前記ＭＳの多入力多出力（ＭＩＭＯ）リソースの組を示す要求メッセージを無線アクセス技術（ＲＡＴ）の基地局（ＢＳ）によって受信するための手段と、
少なくとも１つの間隔中に、前記第１のＲＡＴの前記ＢＳが、再割り当てされないＭＩＭＯリソースを用いて前記ＭＳと通信することを示す肯定応答メッセージを、前記第１のＲＡＴの前記ＢＳによって送信するための手段と、
走査継続時間中に、前記ＭＳによる前記再割り当てされないＭＩＭＯリソースのみの前記使用を前提にして第１の送信モードで前記ＭＳと通信するための手段と、ここで、前記ＭＳは、前記再割り当てされたＭＩＭＯリソースを用いて第２のＲＡＴの他のＢＳと通信する、
通常の継続時間中に、前記ＭＳによる前記再割り当てされた及び前記再割り当てされないＭＩＭＯリソースの前記使用を前提にして第２の送信モードで前記ＭＳと通信するための手段と、を備える、装置。
【請求項２２】
前記第１のＲＡＴは、電気電子学会（ＩＥＥＥ）８０２．１６規格系統の１つ以上の規格に準拠する請求項２１に記載の装置。
【請求項２３】
再割り当てする前記ＭＳのＭＩＭＯリソースの組を示す要求メッセージを第１のＲＡＴのＢＳによって受信するための前記手段は、再割り当てするＭＩＭＯリソースの前記組を示すモバイル走査要求メッセージを受信するように構成される請求項２１に記載の装置。
【請求項２４】
前記第１及び第２の送信モードは、異なる対応するデータレートを有する請求項２１に記載の装置。
【請求項２５】
第１の無線アクセス技術（ＲＡＴ）の第１の局及び第２のＲＡＴの第２の局と通信するためのコンピュータプログラム記憶装置であって、命令の組が格納されているコンピュータによって読み取り可能な媒体を備え、命令の前記組は、１つ以上のプロセッサによって実行可能であり、及び、命令の前記組は、
再割り当てする多入力多出力（ＭＩＭＯ）リソースの組を示す要求メッセージを前記第１のＲＡＴの基地局（ＢＳ）に送信するための命令と、
少なくとも１つの間隔中に、前記第１のＲＡＴの前記ＢＳが、再割り当てされないＭＩＭＯリソースを用いて前記ＭＳと通信することを示す肯定応答メッセージを、前記第１のＲＡＴの前記ＢＳから受信するための命令と、
走査継続時間中に、前記再割り当てされないＭＩＭＯリソースを用いて前記第１のＲＡＴの前記ＢＳと通信し及び前記再割り当てされたＭＩＭＯリソースを用いて前記第２のＲＡＴのＢＳと通信するための命令と、
通常の継続時間中に、前記再割り当てされた及び前記再割り当てされないＭＩＭＯリソースを用いて前記第１のＲＡＴの前記ＢＳと通信するための命令と、を備える、コンピュータプログラム記憶装置。
【請求項２６】
前記第１のＲＡＴは、電気電子学会（ＩＥＥＥ）８０２．１６規格系統の１つ以上の規格に準拠する請求項２５に記載のコンピュータプログラム記憶装置。
【請求項２７】
再割り当てするＭＩＭＯリソースの組を示す要求メッセージを第１のＲＡＴのＢＳに送信するための前記命令は、再割り当てするＭＩＭＯリソースの前記組を示すモバイル走査要求メッセージを送信するための命令を備える請求項２５に記載のコンピュータププログラム記憶装置。
【請求項２８】
前記第２のＲＡＴは、符号分割多元接続（ＣＤＭＡ）ＲＡＴを備える請求項２５に記載のコンピュータププログラム記憶装置。
【請求項２９】
移動局（ＭＳ）と通信するためのコンピュータププログラム記憶装置であって、命令の組が格納されているコンピュータによって読み取り可能な媒体を備え、命令の前記組は、１つ以上のプロセッサによって実行可能であり、及び、命令の前記組は、
再割り当てする前記ＭＳの多入力多出力（ＭＩＭＯ）リソースの組を示す要求メッセージを第１の無線アクセス技術（ＲＡＴ）の基地局（ＢＳ）によって受信するための命令と、
少なくとも１つの間隔中に、前記第１のＲＡＴの前記ＢＳが、再割り当てされないＭＩＭＯリソースを用いて前記ＭＳと通信することを示す肯定応答メッセージを、前記第１のＲＡＴの前記ＢＳによって送信するための命令と、
走査継続時間中に、前記ＭＳによる前記再割り当てされないＭＩＭＯリソースのみの前記使用を前提にして第１の送信モードで前記ＭＳと通信するための命令と、ここで、前記ＭＳは、前記再割り当てされたＭＩＭＯリソースを用いて第２のＲＡＴのＢＳと通信する、
通常の継続時間中に、前記ＭＳによる前記再割り当てされた及び前記再割り当てされないＭＩＭＯリソースの前記使用を前提にして第２の送信モードで前記ＭＳと通信するための命令と、を備える、コンピュータプログラム記憶装置。
【請求項３０】
前記ＲＡＴは、電気電子学会（ＩＥＥＥ）８０２．１６規格系統の１つ以上の規格に準拠する請求項２９に記載のコンピュータプログラム記憶装置。
【請求項３１】
再割り当てする前記ＭＳのＭＩＭＯリソースの組を示す要求メッセージをＲＡＴのＢＳによって受信するための前記命令は、再割り当てするＭＩＭＯリソースの前記組を示すモバイル走査要求メッセージを受信するための命令を備える請求項２９に記載のコンピュータププログラム記憶装置。
【請求項３２】
前記第１及び第２の送信モードは、異なる対応するデータレートを有する請求項２９に記載のコンピュータプログラム記憶装置。
【発明の詳細な説明】
【技術分野】
【０００１】
優先権の主張
本特許出願は、"Method and Apparatus for Smooth Inter-RAT Handover with Reduced MIMO Capability for Multi - Mode WiMAX Mobile Station"（マルチモードＷｉＭＡＸ移動局に関する低下されたＭＩＭＯ能力でのスムーズなＲＡＴ間ハンドオーバーのための方法及び装置”という題名を有し、この出願の譲受人に対して譲渡され及び全目的のために引用によってここにおいて完全に組み入れられている、米国仮特許出願一連番号第６１／１１２，１３９号（出願日：２００８年１１月６日）からの優先権の利益を主張するものである。
【０００２】
本開示は、概して、通信に関するものである。本開示は、より具体的には、ＷｉＭＡＸと他の無線アクセス技術（ＲＡＴ）との間での通信のための動作を提供するために移動局多入力多出力においてリソースを再割り当てする（ｒｅａｌｌｏｃａｔｅ）ための方法を提供することに関するものである。
【背景技術】
【０００３】
ＷｉＭＡＸシステムにおいては、移動局（ＭＳ）は、ＭＳが複数の送信及び受信アンテナを有することができる多入力多出力（ＭＩＭＯ）動作をサポートすることができる。
【０００４】
ＷｉＭＡＸネットワークと他のＲＡＴ、例えば、ＣＤＭＡ及びＵＭＴＳ、との間でのスムーズなハンドオーバーをサポートするために、ＭＳは、複数のＲＡＴにおける同時並行の送信及び受信を可能にする回路を装備することができる。残念なことに、これは、ＭＳにおける複数の組の無線ハードウェアを意味し、それは、コスト及び電力消費を増大させる。単一の組の無線ハードウェアで複数のＲＡＴをサポートするために、ＷｉＭＡＸは、走査モードをサポートし、ここで、ＭＳは、ＷｉＭＡＸネットワークを出ることが許容される。
【０００５】
残念なことに、従来の走査中においては、ＭＳはＷｉＭＡＸネットワークと送信及び受信することができないため、走査は、アクティブなＷｉＭＡＸサービスに混乱を生じさせる。
【発明の概要】
【０００６】
幾つかの実施形態は、第１の無線アクセス技術（ＲＡＴ）及び第２のＲＡＴと通信するための方法を提供する。方法は、概して、再割り当てする多入力多出力（ＭＩＭＯ）リソースの組を示す要求メッセージを第１のＲＡＴの基地局（ＢＳ）に送信することと、走査継続時間中に、再割り当てされないＭＩＭＯリソースを用いて第１のＲＡＴのＢＳと通信し及び再割り当てされたＭＩＭＯリソースを用いて第２のＲＡＴのＢＳと通信することと、通常の継続時間中に、再割り当てされた及び再割り当てされないＭＩＭＯリソースを用いて第１のＲＡＴのＢＳと通信すること、とを含む。
【０００７】
幾つかの実施形態は、移動局（ＭＳ）と通信するための方法を提供する。方法は、概して、再割り当てするＭＳのＭＩＭＯリソースの組を示す要求メッセージをＲＡＴのＢＳによって受信することと、走査継続時間中に、ＭＳによる再割り当てされないＭＩＭＯリソースのみの使用を前提にして第１の送信モードでＭＳと通信することと、通常の継続時間中に、ＭＳによる再割り当てされた及び再割り当てされないＭＩＭＯリソースの使用を前提にして第２の送信モードでＭＳと通信すること、とを含む。
【０００８】
幾つかの実施形態は、第１のＲＡＴ及び第２のＲＡＴと通信するための装置を提供する。装置は、概して、再割り当てするＭＩＭＯリソースの組を示す要求メッセージを第１のＲＡＴのＢＳに送信するための論理と、走査継続時間中に、再割り当てされないＭＩＭＯリソースを用いて第１のＲＡＴのＢＳと通信し及び再割り当てされたＭＩＭＯリソースを用いて第２のＲＡＴのＢＳと通信するための論理と、通常の継続時間中に、再割り当てされた及び再割り当てされないＭＩＭＯリソースを用いて第１のＲＡＴのＢＳと通信するための論理と、を含む。
【０００９】
幾つかの実施形態は、ＭＳと通信するための装置を提供する。装置は、概して、再割り当てするＭＳのＭＩＭＯリソースの組を示す要求メッセージをＲＡＴのＢＳによって受信するための論理と、走査継続時間中に、ＭＳによる再割り当てされないＭＩＭＯリソースのみの使用を前提にして第１の送信モードでＭＳと通信するための論理と、通常の継続時間中に、ＭＳによる再割り当てされた及び再割り当てされないＭＩＭＯリソースの使用を前提にして第２の送信モードでＭＳと通信するための論理と、を含む。
【００１０】
幾つかの実施形態は、第１のＲＡＴ及び第２のＲＡＴと通信するための装置を提供する。装置は、概して、再割り当てするＭＩＭＯリソースの組を示す要求メッセージを第１のＲＡＴのＢＳに送信するための手段と、走査継続時間中に、再割り当てされないＭＩＭＯリソースを用いて第１のＲＡＴのＢＳと通信し及び再割り当てされたＭＩＭＯリソースを用いて第２のＲＡＴのＢＳと通信するための手段と、通常の継続時間中に、再割り当てされた及び再割り当てされないＭＩＭＯリソースを用いて第１のＲＡＴのＢＳと通信するための手段と、を含む。
【００１１】
幾つかの実施形態は、ＭＳと通信するための装置を提供する。装置は、概して、再割り当てするＭＳのＭＩＭＯリソースの組を示す要求メッセージをＲＡＴのＢＳによって受信するための手段と、走査継続時間中に、ＭＳによる再割り当てされないＭＩＭＯリソースのみの使用を前提にして第１の送信モードでＭＳと通信するための手段と、通常の継続時間中に、ＭＳによる再割り当てされた及び再割り当てされないＭＩＭＯリソースの使用を前提にして第２の送信モードでＭＳと通信するための手段と、とを含む。
【００１２】
幾つかの実施形態は、命令の組が格納されているコンピュータによって読み取り可能な媒体を備える、第１のＲＡＴ及び第２のＲＡＴと通信するためのコンピュータプログラム記憶装置を提供し、命令の組は、１つ以上のプロセッサによって実行可能である。命令の組は、概して、再割り当てするＭＩＭＯリソースの組を示す要求メッセージを第１のＲＡＴのＢＳに送信するための命令と、走査継続時間中に、再割り当てされないＭＩＭＯリソースを用いて第１のＲＡＴのＢＳと通信し及び再割り当てされたＭＩＭＯリソースを用いて第２のＲＡＴのＢＳと通信するための命令と、通常の継続時間中に、再割り当てされた及び再割り当てされないＭＩＭＯリソースを用いて第１のＲＡＴのＢＳと通信するための命令と、を含む。
【００１３】
幾つかの実施形態は、命令の組が格納されているコンピュータによって読み取り可能な媒体を備える、ＭＳと通信するためのコンピュータプログラム記憶装置を提供し、命令の組は、１つ以上のプロセッサによって実行可能である。命令の組は、概して、再割り当てするＭＳのＭＩＭＯリソースの組を示す要求メッセージをＲＡＴのＢＳによって受信するための命令と、走査継続時間中に、ＭＳによる再割り当てされないＭＩＭＯリソースのみの使用を前提にして第１の送信モードでＭＳと通信するための命令と、通常の継続時間中に、ＭＳによる再割り当てされた及び再割り当てされないＭＩＭＯリソースの使用を前提にして第２の送信モードでＭＳと通信するための命令と、を含む。
【００１４】
本開示の態様及び実施形態は、以下において詳述される発明を実施するための形態を、同様の参照文字が全体にわたってそれぞれ対応して識別する図面と連係させることで、より明確になるであろう。  
【図面の簡単な説明】
【００１５】
【図１】ここにおいて説明される幾つかの実施形態による典型的な無線通信システムを示した図である。
【図２】ここにおいて説明される幾つかの実施形態による典型的な無線ネットワーク環境を示した図である。
【図３】ここにおいて説明される幾つかの実施形態によるリソースの典型的な割り当てを示した図である。
【図４】ここにおいて説明される幾つかの実施形態によるリソースの典型的な割り当てを示した図である。
【図５】ここにおいて説明される幾つかの実施形態によるリソースの典型的な割り当てを示した図である。
【図６】ここにおいて説明される幾つかの実施形態による、ＭＳによって実行される動作例を示した図である。
【図７】ここにおいて説明される幾つかの実施形態によるＢＳと通信するための典型的な手段を示した図である。
【図８】ここにおいて説明される幾つかの実施形態による、ＢＳによって実行される動作例を示した図である。
【図９】ここにおいて説明される幾つかの実施形態によるＭＳと通信するための典型的な手段を示した図である。
【図１０】ここにおいて説明される幾つかの実施形態によるＭＳとＷｉＭＡＸネットワークのＢＳとの間でのコマンドの典型的なやり取り、ＭＳと第２のＲＡＴのＢＳとの間でのコマンドの典型的なやり取り、及びＭＳによって実行される動作例を示した図である。
【発明を実施するための形態】
【００１６】
幾つかの実施形態が図面を参照してここにおいて説明され、全体にわたって同様の要素を指し示すために同様の参照数字が用いられる。以下の記述においては、説明する目的上、幾つかの実施形態について徹底的に理解できるようにするために数多くの具体的な詳細が示される。しかしながら、該実施形態は、これらの具体的な詳細なしに実践可能であろう。その他の例においては、幾つかの実施形態について説明するのを容易にするためによく知られた構造及びデバイスはブロック図形で示される。
【００１７】
典型的な無線通信システム
ここにおいて説明される技法は、直交多重方式に基づく通信システムを含む様々なブロードバンド無線通信システムのために用いることができる。該通信システムの例は、直交周波数分割多元接続（ＯＦＤＭＡ）システムと、単一搬送波周波数分割多元接続（ＳＣ−ＦＤＭＡ）システムと、等を含む。ＯＦＤＭＡシステムは、全体的なシステム帯域幅を複数の直交副搬送波に分割する変調技法である直交周波数分割多元接続（ＯＦＤＭ）を利用する。これらの副搬送波は、トーン、ビン、等と呼ばれることもある。ＯＦＤＭにおいては、各副搬送波は、データとともに独立して変調することができる。ＳＣ−ＦＤＭＡシステムは、システム帯域幅全体にわたって分散された副搬送波で送信するためにインターリービングされたＦＤＭＡ（ＩＦＤＭＡ）を、隣接する副搬送波から成るブロックで送信するためにローカライズド（ｌｏｃａｌｉｚｅｄ）ＦＤＭＡ（ＬＦＤＭＡ）を、又は隣接する副搬送波から成る複数のブロックで送信するために拡張（ｅｘｔｅｎｄｅｄ）ＦＤＭＡ（ＥＦＤＭＡ）を利用することができる。概して、変調シンボルは、ＯＦＤＭでは周波数領域において及びＳＣ−ＦＤＭＡでは時間領域において送信される。
【００１８】
直交多重方式に基づく通信システムの一例は、ＷｉＭＡＸシステムである。ＷｉＭＡＸは、マイクロ波アクセスに関する世界的相互運用性（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｅｓｓ）を意味し、長距離にわたる高スループットのブロードバンド接続を提供する規格に基づくブロードバンド無線技術である。今日においてはＷｉＭＡＸの２つの主な用途、すなわち固定ＷｉＭＡＸ及びモバイルＷｉＭＡＸ、が存在する。固定ＷｉＭＡＸの用途は、ポイントツーマルチポイントであり、例えば、家庭及び企業へのブロードバンドアクセスを可能にする。モバイルＷｉＭＡＸは、ＯＦＤＭ及びＯＦＤＭＡに基づき、ブロードバンド速度でのセルラーネットワークの完全な移動性を提供する。
【００１９】
ＩＥＥＥ８０２．１６ｘは、固定型及びモバイル型のブロードバンド無線アクセス（ＢＷＡ）システムのためのエアインタフェースを定義する新たな規格組織である。これらの規格は、少なくとも４つの異なる物理層（ＰＨＹ）及び１つのメディアアクセス制御（ＭＡＣ）層を定義する。４つの物理層のＯＦＤＭ及びＯＦＤＭＡ物理層は、固定ＢＷＡ分野及びモバイルＢＷＡ分野においてそれぞれ最も用いられている。
【００２０】
図１は、ここにおいて説明される幾つかの実施形態による典型的な無線通信システム１００を示す。無線通信システム１００は、ブロードバンド無線通信システムであることができる。用語“ブロードバンド無線”は、無線、オーディオ、ビデオ、音声、インターネット、及び／又はデータネットワークアクセスを少なくとも提供する技術を意味する。無線通信システム１００は、１つ以上のセル１０２のための通信を提供し、それらの各々は、基地局１０４によってサービスが提供される。基地局１０４は、その基地局１０４によってサービスが提供されるセル１０２内のユーザ端末１０６と通信する固定された局であることができる。基地局１０４は、アクセスポイント、ノードＢ又は何らかのその他の用語で代わりに呼ばれることがある。
【００２１】
図１に示されるように、無線通信システム１００全体に分散された様々なユーザ端末１０６。ユーザ端末１０６は、固定型（すなわち静止型）、モバイル型又は両方であることができる。ユーザ端末１０６は、遠隔局、アクセス端末、端末、加入者ユニット、移動局、局、ユーザ装置、等と代わりに呼ばれることがある。ユーザ端末１０６は、パーソナル無線デバイス、例えば、携帯電話、パーソナルデジタルアシスタント（ＰＤＡ）、ハンドヘルドデバイス、無線モデム、オーディオ／ビデオプレイヤー、ラップトップコンピュータ、パーソナルコンピュータ、その他のハンドヘルド通信デバイス、その他のハンドヘルド計算デバイス、衛星無線、全地球測位システム、等であることができる。基地局１０４とユーザ端末１０６との間での無線通信システム１００における送信のために様々なアルゴリズム及び方法を用いることができる。例えば、信号は、ＯＦＤＭ／ＯＦＤＭＡ技法に従って基地局１０４とユーザ端末１０６との間で送信及び受信することができる。この場合は、無線通信システム１００は、ＯＦＤＭ／ＯＦＤＭＡシステム１００と呼ぶことができる。
【００２２】
基地局１０４からユーザ端末１０６への送信を容易にする通信リンクは、ダウンリンク１０８と呼ぶことができ、ユーザ端末１０６から基地局１０４への送信を容易にする通信リンクは、アップリンク１１０と呼ぶことができる。代替として、ダウンリンク１０８は、順方向リンク又は順方向チャネルと呼ぶことができ、アップリンク１１０は、逆方向リンク又は逆方向チャネルと呼ぶことができる。セル１０２は、複数のセクタ１１２に分割することができる。セクタ１１２は、セル１０２内における物理的なカバレッジエリアである。ＯＦＤＭ／ＯＦＤＭＡシステム１００内の基地局１０４は、セル１０２の特定のセクタ１１２内において電力の流れを集中させるアンテナを利用することができる。該アンテナは、指向性アンテナと呼ぶことができる。
【００２３】
幾つかの実施形態においては、システム１００は、多入力多出力（ＭＩＭＯ）通信システムであることができる。さらに、システム１００は、通信チャネル（例えば、順方向リンク１０８、逆方向リンク１１０、等）を分割するために実質的にあらゆるタイプの複信技法、例えば、ＦＤＤ、ＴＤＤ、等、を利用することができる。チャネルは、モバイルデバイス１０６と各々の基地局１０４との間で制御データを送信するために提供することができる。
【００２４】
図２は、ここにおいて説明される幾つかの実施形態による典型的な無線ネットワーク環境２００を示す。無線ネットワーク環境２００は、簡潔さを目的として１つの基地局２１０及び１つのモバイルデバイス２５０を示す。しかしながら、システム２００は、１つ以上の基地局及び／又は１つ以上のモバイルデバイスを含むことができ、追加の基地局及び／又はモバイルデバイスは、ここにおいて説明される例示された基地局２１０及び例示されたモバイルデバイス２５０と実質的に同様であること又は異なることができることが企図される。さらに、基地局２１０及び／又はモバイルデバイス２５０は、それらの間での無線通信を容易にするためにここにおいて説明されるシステム、技法、構成、実施形態、態様、及び／又は方法を採用できることが企図される。
【００２５】
基地局２１０において、幾つかのデータストリームのためのトラフィックデータがデータソース２１２から送信（ＴＸ）データプロセッサ２１４に提供される。幾つかの実施形態においては、各データストリームは、各々のアンテナを通じて及び／又は複数のアンテナを通じて送信することができる。ＴＸデータプロセッサ２１４は、符号化されたデータを提供するためにトラフィックデータストリームに関して選択された特定の符号化方式に基づいてそのデータストリームをフォーマット化、符号化、及びインターリービングする。
【００２６】
各データストリームのための符号化されたデータは、例えば、直交周波数分割多重（ＯＦＤＭ）技法を用いてパイロットデータと多重化することができる。さらに加えて又は代替として、パイロットシンボルは、周波数分割多重化（ＦＤＭ）、時分割多重化（ＴＤＭ）、又は符号分割多重化（ＣＤＭ）することができる。パイロットデータは、典型的には、既知の方法で処理される既知のデータパターンであり、チャネル応答又はその他の通信パラメータ及び／又は特性を推定するためにモバイルデバイス２５０において用いることができる。各データストリームのための多重化されたパイロット及び符号化されたデータは、変調シンボルを提供するためにそのデータストリームに関して選択された特定の変調方式（例えば、二位相偏移変調（ＢＰＳＫ）、四位相偏移変調（ＱＰＳＫ）、Ｍ位相偏移変調（Ｍ−ＰＳＫ）、Ｍ−直交振幅変調（Ｍ−ＱＡＭ）、等）に基づいて変調する（例えば、シンボルマッピングする）ことができる。各データストリームのためのデータレート、符号化、及び変調は、プロセッサ２３０によって実行又は提供される命令によって決定することができる。
【００２７】
データストリームのための変調シンボルは、ＴＸ  ＭＩＭＯプロセッサ２２０に提供することができ、それは、（例えば、ＯＦＤＭに関して）変調シンボルをさらに処理することができる。ＴＸ  ＭＩＭＯプロセッサ２２０は、Ｎｔの変調シンボルストリームをＮｔの送信機（ＴＭＴＲ）２２２ａ乃至２２２ｔに提供する。幾つかの実施形態においては、ＴＸ  ＭＩＭＯプロセッサ２２０は、幾つかのマルチアンテナ技法、例えば、空間多重化、ダイバーシティ符号化又はプリコーディング、を適用する（すなわち、ビーム形成であり、データストリームの変調シンボルに対して及びシンボルが送信されているアンテナに対して重みが適用される）。
【００２８】
各送信機２２２は、各々の変調シンボルストリームを受信及び処理して１つ以上のアナログ信号を提供し、これらのアナログ信号をさらにコンディショニング（例えば、増幅、フィルタリング、及びアップコンバージョン）してＭＩＭＯチャネルでの送信に適する変調された信号を提供する。さらに、送信機２２２ａ乃至２２２ｔからのＮｔの変調された信号が、Ｎｔのアンテナ２２４ａ乃至２２４ｔからそれぞれ送信される。
【００２９】
モバイルデバイス２５０において、送信された変調された信号は、Ｎｒのアンテナ２５２ａ乃至２５２ｒによって受信され、各アンテナ２５２からの受信された信号は、各々の受信機（ＲＣＶＲ）２５４ａ乃至２５４ｒに提供される。各受信機２５４は、各々の信号をコンディショニング（例えば、フィルタリング、増幅、及びダウンコンバージョン）し、コンディショニングされた信号をデジタル化してサンプルを提供し、それらのサンプルをさらに処理して対応する“受信された”シンボルストリームを提供する。
【００３０】
受信（ＲＸ）データプロセッサ２６０は、Ｎｒの受信機２５４からＮｒの受信されたシンボルストリームを受信して特定の受信機処理技法に基づいて処理し、Ｎｔの“検出された”シンボルストリームを提供する。ＲＸデータプロセッサ２６０は、各々の検出されたシンボルストリームの復調、デインターリービング、復号、等を行ってデータストリームのためのトラフィックデータを復元し、トラフィックデータをデータシンク２６２に提供する。幾つかの実施形態においては、モバイルデバイス２５０に関して、ＲＸデータプロセッサ２６０による処理は、基地局２１０におけるＴＸ  ＭＩＭＯプロセッサ２２０及びＴＸデータプロセッサ２１４によって行われるそれを補完するものであることができる。
【００３１】
プロセッサ２７０は、上述されるようにいずれのプリコーディング行列を利用するかを定期的に決定することができる。さらに、プロセッサ２７０は、行列インデックス部分とランク値部分とを備える逆方向リンクメッセージを形成することができる。逆方向リンクメッセージは、通信リンク及び／又は受信されたデータストリームに関する様々なタイプの情報を備えることができる。逆方向リンクメッセージは、データソース２３６から幾つかのデータストリームのためのトラフィックデータも受信するＴＸデータプロセッサ２３８によって処理し、変調器２８０によって変調し、送信機２５４ａ乃至２５４ｒによってコンディショニングし、基地局２１０に返信することができる。
【００３２】
基地局２１０において、モバイルデバイス２５０からの変調された信号は、Ｎｔのアンテナ２２４によって受信され、各々のＮｔの受信機２２２によってコンディショニングされ、復調器２４０によって復調され、ＲＸデータプロセッサ２４２によって処理され、モバイルデバイス２５０によって送信された逆方向リンクメッセージが抽出され、逆方向リンクメッセージがデータシンク２４４に提供される。さらに、プロセッサ２３０は、ビーム形成重みを決定するために抽出されたメッセージを処理していずれのプリコーディング行列を用いるべきかを決定することができる。
【００３３】
プロセッサ２３０及び２７０は、基地局２１０及びモバイルデバイス２５０における動作をそれぞれ指示（例えば、制御、調整、管理、等）することができる。各々のプロセッサ２３０及び２７０は、プログラムコード及びデータを格納するメモリ２３２及び２７２と関連づけることができる。プロセッサ２３０及び２７０は、アップリンク及びダウンリンクに関する周波数及びインパルス応答推定値を導き出すための計算をそれぞれ行うこともできる。すべての“プロセッサ”機能を処理モジュール間で移行させることができ、このため、幾つかの実施形態においては、幾つかのプロセッサモジュールは存在しなくてもよく、又は、ここにおいて示されない追加のプロセッサモジュールが存在することができる。
【００３４】
（ここにおいて開示される全データストアと同様に）メモリ２３２及び２７２は、揮発性メモリ又は非揮発性メモリのいずれかであることができ、又は揮発性部分と非揮発性部分の両方を含むことができ、及び、固定型であること、取り外し可能であること又は固定部分と取り外し可能部分の両方を含むことができる。一例として、及び限定することなしに、非揮発性メモリは、読み取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、又はフラッシュメモリを含むことができる。揮発性メモリは、外部のキャッシュメモリとして働くランダムアクセスメモリ（ＲＡＭ）を含むことができる。一例として及び限定することなしに、ＲＡＭは、数多くの形態、例えば、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、エンハンストＳＤＲＡＭ（ＥＳＤＲＡＭ）、シンクリンク（Ｓｙｎｃｈｌｉｎｋ（登録商標））ＤＲＡＭ（ＳＬＤＲＡＭ）、及びダイレクトランバス（Ｒａｍｂｕｓ（登録商標））ＲＡＭ（ＤＲＲＡＭ）、で入手可能である。幾つかの実施形態のメモリ３０８は、限定されることなしに、これらの及びその他の適切なタイプのメモリを備えることが意図される。
【００３５】
マルチモード移動局における典型的なＲＡＴ間ハンドオーバー
本開示の幾つかの実施形態により、マルチモードＭＳは、第１のＲＡＴ（例えば、ＷｉＭＡＸ）と第２のＲＡＴ（例えば、ＣＤＭＡ又はＵＭＴＳ）との間でのハンドオーバーのための動作を提供するために、幾つかのＭＩＭＯ送信及び受信リソースを再割り当てするように構成することができる。この再割り当ては、ＭＳが、第１のＲＡＴでのアクティブなサービスに対してほとんど影響を及ぼさずに第２のＲＡＴにおいて幾つかの軽度なトラフィック活動、例えば、ハンドオーバーのセットアップ、を行うのを可能にすることができる。
【００３６】
本出願の幾つかの実施形態により、ＭＳは、ＷｉＭＡＸネットワークにおいてトラフィックモードにありつつ性能に対してほとんど影響を及ぼさずにこの低下されたＭＩＭＯ能力モード及び関連する時間間隔について交渉することができる。その結果、ハンドオーバーの信頼性及び混乱を有意に向上させることができる。
【００３７】
再割り当ては、ＭＳがＷｉＭＡＸネットワークのトラフィックモードにありつつ第２のＲＡＴと関連づけられた機能を実行するのを可能にすることができる。該機能は、第２のＲＡＴの信号強度を測定すること（受信）と、第２のＲＡＴのタイミングを取得すること（受信）と、第２のＲＡＴのシステムオーバーヘッドメッセージを取得すること（受信）と、第２のＲＡＴとシグナリングメッセージ又はデータをやり取りすること、例えば、第２のＲＡＴへのハンドオーバーシグナリング（送信及び受信）、とを含むことができる。
【００３８】
これらの機能は、少量のデータを送信又は受信することを要求するだけであり、それは、処理電力をほとんど要求しないことができることを注記することができる。さらに、幾つかの実施形態においては、第２のＲＡＴは、ＭＩＭＯ能力を要求しないことができ、このため、ＭＩＭＯリソースの再割り当ては、ＷｉＭＡＸ  ＢＳとの通信に対して大きい影響を与えないことができる。第２のＲＡＴの場合に少量の又は大量のデータ量を要求することがあるその他の機能も可能である。
【００３９】
図３は、本開示の幾つかの実施形態の例を示す。図３の構成１においては、ＭＳ３００は、ＭＩＭＯモードでＷｉＭＡＸ  ＢＳ３０６と通信するための２つの送信ＭＩＭＯリソース３０２及び２つの受信ＭＩＭＯリソース３０４を有する。走査間隔において、ＭＳ３００は、図３の構成２に切り替わることができる。構成２においては、ＭＳ３００は、ＷｉＭＡＸ  ＢＳ３０６と通信する１つの送信ＭＩＭＯリソース３０２及び１つの受信ＭＩＭＯリソース３０４を有する状態が示される。１つの送信ＭＩＭＯリソース３０２’及び１つの受信ＭＩＭＯリソース３０４’は、第２のＲＡＴ３０８との通信のために再割り当てされたものが示される。例えば、ＭＳは、ハンドオーバーを準備するために信号強度を測定し及び／又は第２のＲＡＴ基地局３０８とシグナリングメッセージをやり取りするために送信ＭＩＭＯリソース３０２’及び受信リソース３０４’を用いることができる。第２のＲＡＴ基地局３０８は、ＣＤＭＡネットワーク、ＵＭＴＳネットワーク、又はいずれかのその他のＲＡＴネットワークの一部であることが可能である。ＭＡＣ又はレイヤ３プロトコルスタックを提供するためのプロセッサ３１０は、ベースバンド及びＲＦハードウェアを分離することができる一方で、両方のＲＡＴのファームウェア及びソフトウェアをローディングすることができ、
図４は、本開示の態様による、ＭＩＭＯリソースを再割り当てするための幾つかの実施形態を示す。示される例は、ＭＳがＭの送信リソースとＮの受信リソースとを有することを前提にする。
【００４０】
図４において、ＭＳは、第１のＲＡＴと低下されたＭＩＭＯ能力について既に交渉済みである。例えば、ＭＳは、フレーム４０２においてＭＳが第２のＲＡＴにおいて活動を行うためにＭＩＭＯ能力を低下させることができるときに要求するＭＯＢ＿ＳＣＮ＿ＲＥＱメッセージをＷｉＭＡＸ  ＢＳに送信していることができる。図４に示されるように、ＭＳは、ＷｉＭＡＸネットワークでの走査継続時間４０４中に低下されたＭＩＭＯ能力（例えば、Ｍ−１の送信及びＮ−１の受信）で送信及び受信することができる。これは、ＭＳが、第２のＲＡＴで軽度の活動４０６、例えば、ハンドオーバーのためのシグナリングメッセージの送信及び受信、を行う一方で多くのスループットを失うことなしに第１のＲＡＴとの通信を維持するのを可能にする。通常の継続時間においては、又は２つの走査継続時間の間においては、ＭＳは、通常どおり完全なＭＩＭＯ能力（Ｍの送信及びＮの受信）でＷｉＭＡＸネットワークにおいて依然として動作することができる。
【００４１】
幾つかの実施形態に関する一例として、ＭＯＢ＿ＳＣＮ＿ＲＥＱの次のメッセージ変更は、該低下されたＭＩＭＯ能力モード及び関連する時間間隔のための交渉を可能にする。
【表１】
0005507572.tif 000002
【００４２】
ＭＯＢ＿ＳＣＮ−ＲＥＱ内に低下ＭＩＭＯ能力ＴＬＶ（Ｒｅｄｕｃｅ  ＭＩＭＯ  Ｃａｐａｂｉｌｉｔｙ  ＴＬＶ）が存在しない場合は、ＷｉＭＡＸ  ＢＳは、走査継続時間中には送信又は受信すべきでない。
【００４３】
ＭＯＢ＿ＳＣＮ−ＲＥＱ内に低下ＭＩＭＯ能力ＴＬＶが存在する場合は、ＷｉＭＡＸ  ＢＳは、走査間隔においてＭＳとデータを送信又は受信するのを継続することができるが、低下されたＭＩＭＯ能力を有する。これは、より低速の全体的なデータ送信レートを含むことができる。しかしながら、現在の規格は、ＭＳが走査を取り消すための暗黙のシグナリングとして走査継続時間にＭＰＤＵを送信するのを可能にする。ＭＯＢ＿ＳＣＮ＿ＲＥＱ内にＭＩＭＯ能力ＴＬＶが存在する場合は、それはもはや真ではない。ＭＳは、残りの走査を取り消すためにパラメータＳｃａｎ  Ｄｕｒａｔｉｏｎ（走査継続時間）＝０を有するＭＯＢ＿ＳＣＮ−ＲＥＱメッセージを送信できるだけである。
【００４４】
図５に示されるように、ＭＳは、連続的な間隔の間に第２のＲＡＴでの活動を行うことが必要な場合がある。例えば、これは、第２のＲＡＴのＢＳは、ＭＳが要求シグナリングメッセージを送信後のいずれの時点でもシグナリングメッセージを送信できるためである。従って、第２のＲＡＴでの継続的なモニタリングが要求されることがある。ＭＳは、パラメータＩｎｔｅｒｌｅａｖｉｎｇ  Ｉｎｔｅｒｖａｌ（インターリービング間隔）＝０、すなわち、走査継続時間５０４間に通常の間隔が存在しない、を有するＭＯＢ＿ＳＣＮ−ＲＥＱメッセージにおいて要求することができる。
【００４５】
本出願の幾つかの実施形態により、ＷｉＭＡＸ規格は２５５回の繰り返し、各々、走査継続時間当たり２５５フレーム、を許容するため、ＭＳは、（５ｍｓのフレーム継続時間：５ｍｓ×２５５×２５５＝３２５秒であるとみなした場合に）３２５秒間該低下されたＭＩＭＯ能力モードで動作を継続することができ、それは、ＭＳが第２のＲＡＴにおいて希望される動作５０６、例えば、スムーズなハンドオーバー、を行う上で十分であることができる。すべての走査の繰り返しの終了後、ＭＳは、通常の間隔５０８においてＷｉＭＡＸ  ＢＳとの通常のＭＩＭＯモードを再開することができる。幾つかの実施形態においては、ＭＳは、例えば第２のＲＡＴへのハンドオーバーを交渉するために、ＷｉＭＡＸ  ＢＳとの通信を短時間だけ再開することができる。
【００４６】
図６は、本出願の幾つかの実施形態によるＭＳによって実行される動作の例を示す。６０２において、ＭＳは、ＭＳが幾つかのＭＩＭＯ送信及び受信リソースを再割り当てする、従って、ＭＳにおけるＭＩＭＯ能力が幾つかの間隔中に低下される、ことを第１のＲＡＴのＢＳに知らせる。６０４において、ＭＳは、ＭＳ内の幾つかのＭＩＭＯリソースが再割り当てされていることを確認応答し、ＭＳが幾つかの間隔中にＭＩＭＯモードの全能力で動作するのを第１のＲＡＴにおけるＢＳが期待しないことを確認するメッセージを第１のＲＡＴにおけるＢＳから受信する。６０６において示される走査継続時間において、ＭＳは、再割り当てされないＭＩＭＯリソースを用いて第１のＲＡＴにおけるＢＳと通信し、ＭＳは、再割り当てされたＭＩＭＯリソースを用いて第２のＲＡＴにおけるＢＳと通信する。６０８において示される通常の継続時間において、ＭＳは、再割り当てされた及び再割り当てされないＭＩＭＯリソースを用いて第１のＲＡＴのＢＳと通信する。
【００４７】
図７は、本出願の幾つかの実施形態によるＢＳと通信するための手段の例を示す。幾つかの実施形態においては、ＭＳは、ＢＳと通信するための該手段を含む。７０２において示されるように、ＭＳは、ＭＳが幾つかのＭＩＭＯ送信及び受信リソースを再割り当てし、従ってＭＳ内のＭＩＭＯ能力が幾つかの間隔中に低下されることを第１のＲＡＴのＢＳに知らせるための手段を含む。７０４において、ＭＳは、ＭＳ内の幾つかのＭＩＭＯリソースが再割り当てされていることを確認し、ＭＳが幾つかの間隔中にＭＩＭＯモードの全能力で動作するのを第１のＲＡＴにおけるＢＳが期待しないことを確認する応答を第１のＲＡＴにおけるＢＳから受信するための手段を含む。７０６において示されるように、ＭＳは、走査継続時間に、再割り当てされないＭＩＭＯリソースを用いて第１のＲＡＴにおけるＢＳと通信するための手段と、再割り当てされたＭＩＭＯリソースを用いて第２のＲＡＴにおけるＢＳと通信するための手段と、を含む。ＭＳは、７０８において示されるように、再割り当てされた及び再割り当てされないＭＩＭＯリソースを用いて通常の継続時間に第１のＲＡＴのＢＳと通信するための手段も含む。
【００４８】
図８は、本出願の幾つかの実施形態によるＢＳによって実行される動作の例を示す。８０２において、ＢＳは、ＭＳが幾つかのＭＩＭＯ送信及び受信リソースを再割り当てすることのメッセージをＭＳから受信する。８０４において、ＢＳは、ＭＳ内のＭＩＭＯリソースが再割り当てされていることを確認する応答を送信する。８０６において示される走査継続時間には、ＢＳは、ＭＳの再割り当てされたＭＩＭＯリソースが利用不能であることを前提にしてＭＳと通信する。８０８において示される通常の継続時間には、ＢＳは、再割り当てされた及び再割り当てされないＭＩＭＯリソースを用いてＭＳと通信する。
【００４９】
図９は、本出願の幾つかの実施形態によるＭＳと通信するための手段の例を示す。幾つかの実施形態において、第１のＲＡＴにおけるＢＳは、ＭＳと通信するための該手段を含む。９０２において示されるように、ＢＳは、ＭＳが幾つかのＭＩＭＯ送信及び受信リソースを再割り当てし、従ってＭＳ内のＭＩＭＯ能力が幾つかの間隔中に低下されることのメッセージをＭＳから受信するための手段を含む。９０４において示されるように、ＢＳは、ＭＳの幾つかのＭＩＭＯリソースが再割り当てされていることを確認し、ＭＳが幾つかの間隔中にＭＩＭＯモードの全能力で動作するのを第１のＲＡＴにおけるＢＳが期待しないことを確認する応答をＭＳに送信するための手段を含む。９０６において、ＢＳは、走査継続時間に、再割り当てされないＭＩＭＯリソースを用いて、すなわち、ＭＳの再割り当てされたＭＩＭＯリソースが利用不能であることを前提にして、ＭＳと通信するための手段を含む。ＢＳは、９０８において示されるように、再割り当てされた及び再割り当てされないＭＩＭＯリソースを用いて通常の継続時間にＭＳと通信するための手段も含む。
【００５０】
ＭＳがすべての走査の繰り返しの終了よりも早期にＲＡＴ間ハンドオーバーを完了することができる場合は、ＭＳは、パラメータＳｃａｎ  Ｄｕｒａｔｉｏｎ（走査継続時間）＝０を有するＭＯＢ＿ＳＣＮ−ＲＥＱを送信することによって残りの走査を取り消すことができる。
【００５１】
本開示の幾つかの実施形態により、ＭＳ及びＷｉＭＡＸネットワークのＢＳは、低下された能力モード及び関連する時間間隔について交渉するために走査要求及び応答メッセージを用いることができる。
【００５２】
図１０は、ここにおいて説明される幾つかの実施形態による、ＭＳ１００２とＷｉＭＡＸネットワークのＢＳ１００４との間でのコマンドの典型的なやり取り、ＭＳ１００２と第２のＲＡＴのＢＳ１００６との間でのコマンドの典型的なやり取り、及びＭＳ１００２によって実行される動作例を示す。例えば、図１０は、ＭＳ１００２がＷｉＭＡＸネットワークのＢＳ１００４と通信し続けながら第２のＲＡＴのＢＳ１００６に関する幾つかの機能を実行することを示す。ＭＳ１００２は、第２のＲＡＴのＢＳ１００６に関する幾つかの機能を実行する一方で、ＭＳ１００２は、幾つかの間隔中には低下されたＭＩＭＯ能力で及びその他の間隔では完全なＭＩＭＯ能力でＷｉＭＡＸネットワークのＢＳ１００４と通信することができる。さらに、ＭＳ１００２は、第２のＲＡＴのＢＳ１００６に関する幾つかの機能を実行する一方で連続的な間隔の間に低下されたＭＩＭＯ能力でＷｉＭＡＸネットワークのＢＳ１００４と通信することができる。
【００５３】
上述される方法の様々な動作は、対応する機能を実行することが可能なあらゆる適切な手段によって実行することができる。手段は、様々なハードウェア及び／又はソフトウェアコンポーネント及び／又はモジュールを含み、限定されることなしに、回路、特定用途向け集積回路（ＡＳＩＣ）、又はプロセッサを含むことができる。概して、図に示される動作が存在する場合は、それらの動作は、同様の番号を有する対応する手段プラス機能（ｍｅａｎｓ−ｐｌｕｓ−ｆｕｎｃｔｉｏｎ）コンポーネントを有することができる。例えば、図６及び８に示されるブロック６０２乃至６０８及び８０２乃至８０４は、図７及び９に示される、ブロック７０２乃至７０８及び９０２乃至９０８に対応することができる。
【００５４】
ここにおいて用いられる場合において、用語“決定する”は、非常に様々な動作を包含する。例えば、“決定する”は、計算することと、演算することと、処理することと、導出することと、調査することと、検索する（例えば、テーブル、データベース又は他のデータ構造において検索する）ことと、確認することと、等を含むことができる。さらに、“決定する”は、受信する（例えば、情報を受信する）ことと、アクセスする（例えば、メモリ内のデータにアクセスする）ことと、等を含むことができる。さらに、“決定する”は、解決することと、選抜することと、選択することと、確立することと、等を含むことができる。
【００５５】
上述される方法の様々な動作は、それらの動作を実行することが可能なあらゆる適切な手段、例えば、様々なハードウェア及び／又はソフトウェアコンポーネント、回路、及び／又はモジュール、によって実行することができる。概して、図に示されるいずれの動作も、それらの動作を実行することが可能な対応する機能手段によって実行することができる。
【００５６】
本開示と関係させて説明され、以下の請求項において記述される様々な例示的な論理ブロック、モジュール、及び回路は、ここにおいて説明される機能を果たすように設計された汎用プロセッサ、デジタル信号プロセッサ（ＤＳＰ）、特定用途向け集積回路（ＡＳＩＣ）、フィールドプログラマブルゲートアレイ信号（ＦＰＧＡ）、その他のプログラマブル論理デバイス（ＰＬＤ）、ディスクリートゲートロジック、ディスクリートトランジスタロジック、ディスクリートハードウェアコンポーネント、又はそれらのあらゆる組合せ、を用いて実装又は実行することが可能である。汎用プロセッサは、マイクロプロセッサであることができるが、代替においては、プロセッサは、どのような市販のプロセッサ、コントローラ、マイクロコントローラ、又はステートマシンであってもよい。プロセッサは、計算デバイスの組合せ、例えば、ＤＳＰと、１つのマイクロプロセッサとの組合せ、複数のマイクロプロセッサとの組合せ、ＤＳＰコアと関連する１つ以上のマイクロプロセッサとの組合せ、又はその他のあらゆる該構成、として実装することも可能である。
【００５７】
本開示と関係させて説明される方法又はアルゴリズムのステップは、直接ハードウェア内において、プロセッサによって実行されるソフトウェアモジュール内において、又はそれらの２つの組み合わせ内において具現化することが可能である。ソフトウェアモジュールは、当業において知られるあらゆる形態の記憶媒体に常駐することができる。用いることができる記憶媒体の幾つかの例は、ランダムアクセスメモリ（ＲＡＭ）と、読み取り専用メモリ（ＲＯＭ）と、フラッシュメモリと、ＥＰＲＯＭメモリと、ＥＥＰＲＯＭメモリと、レジスタと、ハードディスクと、取り外し可能ディスクと、ＣＤ−ＲＯＭと、等を含む。ソフトウェアモジュールは、単一の命令、又は複数の命令を備えることができ、及び、幾つかの異なる符号セグメントにわたって、異なるプログラム間で、及び複数の記憶媒体において分散させることができる。記憶媒体は、プロセッサに結合することができ、このため、プロセッサは、記憶媒体から情報を読み出すこと、及び記憶媒体に情報を書き込むことができる。代替においては、記憶媒体は、プロセッサと一体化させることができる。
【００５８】
ここにおいて開示される方法は、説明される方法を達成させるための１つ以上のステップ又は行為を備える。方法のステップ及び／又は行為は、請求項の適用範囲を逸脱することなしに互換することができる。換言すると、ステップ又は行為の特定の順序が明記されない限り、特定のステップ及び／又は行為の順序及び／又は使用は、請求項の適用範囲を逸脱することなしに変更することができる。
【００５９】
説明される機能は、ハードウェア、ソフトウェア、ファームウェア又はそれらの組み合わせにおいて実装することができる。ソフトウェアにおいて実装される場合は、機能は、コンピュータによって読み取り可能な媒体において１つ以上の命令として格納することができる。記憶媒体は、コンピュータによってアクセス可能なあらゆる利用可能な媒体であることができる。一例として、及び限定することなしに、該コンピュータによって読み取り可能な媒体は、ＲＡＭ、ＲＯＭ、ＥＥＰＲＯＭ、ＣＤ−ＲＯＭ又はその他の光学ディスク記憶装置、磁気ディスク記憶装置又はその他の磁気記憶装置、又は命令又はデータ構造の形態で希望されるプログラムコードを搬送又は格納するために用いることができ及びコンピュータによってアクセス可能であるその他の媒体、を備えることができる。ディスク（ｄｉｓｋ及びｄｉｓｃ）は、ここにおいて用いられる場合においては、コンパクトディスク（ＣＤ）（ｄｉｓｃ）と、レーザーディスク（登録商標）（ｄｉｓｃ）と、光ディスク（ｄｉｓｃ）と、デジタルバーサタイルディスク（ＤＶＤ）（ｄｉｓｃ）と、フロッピー（登録商標）ディスク（ｄｉｓｋ）と、Ｂｌｕ−ｒａｙ（登録商標）ディスク（ｄｉｓｃ）と、を含み、ここで、ｄｉｓｋは通常は磁気的にデータを複製し、ｄｉｓｃは、レーザを用いて光学的にデータを複製する。
【００６０】
従って、一定の態様は、ここにおいて提示される動作を実行するためのコンピュータプログラム製品を備えることができる。例えば、該コンピュータプログラム製品は、命令が格納されている（及び／又は符号化されている）コンピュータによって読み取り可能な媒体を備えることができ、それらの命令は、ここにおいて説明される動作を実行するために１つ以上のプロセッサによって実行可能である。幾つかの態様に関しては、コンピュータプログラム製品は、パッケージング材料を含むことができる。
【００６１】
ソフトウェア又は命令は、送信媒体を通じて送信することもできる。例えば、ソフトウェアが、同軸ケーブル、光ファイバーケーブル、より対線、デジタル加入者ライン（ＤＳＬ）、又は無線技術、例えば、赤外線、無線、及びマイクロ波、を用いてウェブサイト、サーバ、又はその他の遠隔ソースから送信される場合は、該同軸ケーブル、光ファイバーケーブル、より対線、ＤＳＬ、又は無線技術、例えば赤外線、無線、及びマイクロ波、は、送信媒体の定義の中に含まれる。
【００６２】
さらに、ここにおいて説明される方法及び技法を実行するためのモジュール及び／又はその他の該当する手段は、ユーザ端末及び／又は基地局によって適宜ダウンロードすること及び／又はその他の方法で得ることができることが評価されるべきである。例えば、該デバイスは、ここにおいて説明される方法を実行するための手段の転送を容易にするためにサーバに結合することができる。代替として、ここにおいて説明される様々な方法は、記憶手段（例えば、ＲＡＭ、ＲＯＭ、物理的な記憶媒体、例えば、コンパクトディスク（ＣＤ）又はフロッピーディスク、等）を介して提供することができ、従って、ユーザ端末及び／又は基地局は、記憶手段をデバイスに結合するか又は提供した時点で様々な方法を得ることができる。さらに、ここにおいて説明される方法及び技法をデバイスに提供するためのあらゆるその他の適切な技法を利用することができる。
【００６３】
請求項は、上記される正確な構成及びコンポーネントに限定されないことが理解されるべきである。請求項の適用範囲を逸脱することなしに上述される方法及び装置の配置、動作及び詳細の様々な修正、変更及び変形を行うことができる。
【００６４】
上記は、本開示の実施形態を対象とする一方で、それらの基本的な適用範囲を逸脱することなしに本開示のその他の及びさらなる実施形態を案出することができ、及び、それらの適用範囲は、後続する請求項によって決定される。
以下、本願の出願当初の特許請求の範囲に記載の発明を付記する。  
［１］  第１の無線アクセス技術（ＲＡＴ）及び第２のＲＡＴと通信するための方法であって、
再割り当てする多入力多出力（ＭＩＭＯ）リソースの組を示す要求メッセージを第１のＲＡＴの基地局（ＢＳ）に送信することと、
走査継続時間中に、再割り当てされないＭＩＭＯリソースを用いて前記第１のＲＡＴの前記ＢＳと通信し及び前記再割り当てされたリソースを用いて前記第２のＲＡＴのＢＳと通信することと、
通常の継続時間中に、前記再割り当てされた及び再割り当てされないＭＩＭＯリソースを用いて前記第１のＲＡＴの前記ＢＳと通信すること、とを備える、方法。
［２］  前記第１のＲＡＴは、電気電子学会（ＩＥＥＥ）８０２．１６規格系統の１つ以上の規格に準拠する［１］に記載の方法。
［３］  再割り当てするＭＩＭＯリソースの組を示す要求メッセージを第１のＲＡＴのＢＳに送信することは、再割り当てするＭＩＭＯリソースの前記組を示すモバイル走査要求メッセージを送信することを備える［１］に記載の方法。
［４］  前記第２のＲＡＴは、符号分割多元接続（ＣＤＭＡ）ＲＡＴを備える［１］に記載の方法。
［５］  移動局（ＭＳ）と通信するための方法であって、
再割り当てする前記ＭＳの多入力多出力（ＭＩＭＯ）リソースの組を示す要求メッセージを無線アクセス技術（ＲＡＴ）の基地局（ＢＳ）によって受信することと、
走査継続時間中に、前記ＭＳによる再割り当てされないＭＩＭＯリソースのみの前記使用を前提にして第１の送信モードで前記ＭＳと通信することと、
通常の継続時間中に、前記ＭＳによる前記再割り当てされた及び再割り当てされないＭＩＭＯリソースの前記使用を前提にして第２の送信モードで前記ＭＳと通信すること、とを備える、方法。
［６］  前記ＲＡＴは、電気電子学会（ＩＥＥＥ）８０２．１６規格系統の１つ以上の規格に準拠する［５］に記載の方法。
［７］  再割り当てする前記ＭＳのＭＩＭＯリソースの組を示す要求メッセージをＲＡＴのＢＳによって受信することは、再割り当てするＭＩＭＯリソースの前記組を示すモバイル走査要求メッセージを受信することを備える［５］に記載の方法。
［８］  前記第１及び第２送信モードは、異なる対応するデータレートを有する［５］に記載の方法。
［９］  第１の無線アクセス技術（ＲＡＴ）及び第２のＲＡＴと通信するための装置であって、
再割り当てする多入力多出力（ＭＩＭＯ）リソースの組を示す要求メッセージを前記第１のＲＡＴの基地局（ＢＳ）に送信するための論理と、
走査継続時間中に、再割り当てされないＭＩＭＯリソースを用いて前記第１のＲＡＴの前記ＢＳと通信し及び前記再割り当てされたＭＩＭＯリソースを用いて前記第２のＲＡＴのＢＳと通信するための論理と、
通常の継続時間中に、前記再割り当てされた及び再割り当てされないＭＩＭＯリソースを用いて前記第１のＲＡＴの前記ＢＳと通信するための論理と、を備える、装置。
［１０］  前記第１のＲＡＴは、電気電子学会（ＩＥＥＥ）８０２．１６規格系統の１つ以上の規格に準拠する［９］に記載の装置。
［１１］  再割り当てするＭＩＭＯリソースの組を示す要求メッセージを第１のＲＡＴのＢＳに送信するための前記論理は、再割り当てするＭＩＭＯリソースの前記組を示すモバイル走査要求メッセージを送信するように構成される［９］に記載の装置。
［１２］  前記第２のＲＡＴは、符号分割多元接続（ＣＤＭＡ）ＲＡＴを備える［９］に記載の装置。
［１３］  移動局（ＭＳ）と通信するための装置であって、
再割り当てする前記ＭＳの多入力多出力（ＭＩＭＯ）リソースの組を示す要求メッセージを無線アクセス技術（ＲＡＴ）の基地局（ＢＳ）によって受信するための論理と、
走査継続時間中に、前記ＭＳによる再割り当てされないＭＩＭＯリソースのみの前記使用を前提にして第１の送信モードで前記ＭＳと通信するための論理と、
通常の継続時間中に、前記ＭＳによる前記再割り当てされた及び再割り当てされないＭＩＭＯリソースの前記使用を前提にして第２の送信モードで前記ＭＳと通信するための論理と、を備える、装置。
［１４］  前記ＲＡＴは、電気電子学会（ＩＥＥＥ）８０２．１６規格系統の１つ以上の規格に準拠する［１３］に記載の装置。
［１５］  再割り当てする前記ＭＳのＭＩＭＯリソースの組を示す要求メッセージを前記第１のＲＡＴのＢＳによって受信するための前記論理は、再割り当てするＭＩＭＯリソースの前記組を示すモバイル走査要求メッセージを受信するように構成される［１３］に記載の装置。
［１６］  前記第１及び第２送信モードは、異なる対応するデータレートを有する［１３］に記載の装置。
［１７］  第１の無線アクセス技術（ＲＡＴ）及び第２のＲＡＴと通信するための装置であって、
再割り当てする多入力多出力（ＭＩＭＯ）リソースの組を示す要求メッセージを前記第１のＲＡＴの基地局（ＢＳ）に送信するための手段と、
走査継続時間中に、再割り当てされないＭＩＭＯリソースを用いて前記第１のＲＡＴの前記ＢＳと通信し及び前記再割り当てされたＭＩＭＯリソースを用いて前記第２のＲＡＴ
のＢＳと通信するための手段と、
通常の継続時間中に、前記再割り当てされた及び再割り当てされないＭＩＭＯリソースを用いて前記第１のＲＡＴの前記ＢＳと通信するための手段と、を備える、装置。
［１８］  前記第１のＲＡＴは、電気電子学会（ＩＥＥＥ）８０２．１６規格系統の１つ以上の規格に準拠する［１７］に記載の装置。
［１９］  再割り当てするＭＩＭＯリソースの組を示す要求メッセージを第１のＲＡＴのＢＳに送信するための前記手段は、再割り当てするＭＩＭＯリソースの前記組を示すモバイル走査要求メッセージを送信するように構成される［１７］に記載の装置。
［２０］  前記第２のＲＡＴは、符号分割多元接続（ＣＤＭＡ）ＲＡＴを備える［１７］に記載の装置。
［２１］  移動局（ＭＳ）と通信するための装置であって、
再割り当てする前記ＭＳの多入力多出力（ＭＩＭＯ）リソースの組を示す要求メッセージを無線アクセス技術（ＲＡＴ）の基地局（ＢＳ）によって受信するための手段と、
走査継続時間中に、前記ＭＳによる再割り当てされないＭＩＭＯリソースのみの前記使用を前提にして第１の送信モードで前記ＭＳと通信するための手段と、
通常の継続時間中に、前記ＭＳによる前記再割り当てされた及び再割り当てされないＭＩＭＯリソースの前記使用を前提にして第２の送信モードで前記ＭＳと通信するための手
段と、を備える、装置。
［２２］  前記第１のＲＡＴは、電気電子学会（ＩＥＥＥ）８０２．１６規格系統の１つ以上の規格に準拠する［２１］に記載の装置。
［２３］  再割り当てする前記ＭＳのＭＩＭＯリソースの組を示す要求メッセージを第１のＲＡＴのＢＳによって受信するための前記手段は、再割り当てするＭＩＭＯリソースの前記組を示すモバイル走査要求メッセージを受信するように構成される［２１］に記載の装置。
［２４］  前記第１及び第２の送信モードは、異なる対応するデータレートを有する［２１］に記載の装置。
［２５］  第１の無線アクセス技術（ＲＡＴ）及び第２のＲＡＴと通信するためのコンピュータプログラム記憶装置であって、命令の組が格納されているコンピュータによって読み取り可能な媒体を備え、命令の前記組は、１つ以上のプロセッサによって実行可能であり、及び、命令の前記組は、
再割り当てする多入力多出力（ＭＩＭＯ）リソースの組を示す要求メッセージを前記第１のＲＡＴの基地局（ＢＳ）に送信するための命令と、
走査継続時間中に、再割り当てされないＭＩＭＯリソースを用いて前記第１のＲＡＴの前記ＢＳと通信し及び前記再割り当てされたＭＩＭＯリソースを用いて前記第２のＲＡＴのＢＳと通信するための命令と、
通常の継続時間中に、前記再割り当てされた及び再割り当てされないＭＩＭＯリソースを用いて前記第１のＲＡＴの前記ＢＳと通信するための命令と、を備える、コンピュータプログラム記憶装置。
［２６］  前記第１のＲＡＴは、電気電子学会（ＩＥＥＥ）８０２．１６規格系統の１つ以上の規格に準拠する［２５］に記載のコンピュータプログラム記憶装置。
［２７］  再割り当てするＭＩＭＯリソースの組を示す要求メッセージを第１のＲＡＴのＢＳに送信するための前記命令は、再割り当てするＭＩＭＯリソースの前記組を示すモバイル走査要求メッセージを送信するための命令を備える［２５］に記載のコンピュータププログラム記憶装置。
［２８］  前記第２のＲＡＴは、符号分割多元接続（ＣＤＭＡ）ＲＡＴを備える［２５］に記載のコンピュータププログラム記憶装置。
［２９］  移動局（ＭＳ）と通信するためのコンピュータププログラム記憶装置であって、命令の組が格納されているコンピュータによって読み取り可能な媒体を備え、命令の前記組は、１つ以上のプロセッサによって実行可能であり、及び、命令の前記組は、
再割り当てする前記ＭＳの多入力多出力（ＭＩＭＯ）リソースの組を示す要求メッセージを無線アクセス技術（ＲＡＴ）の基地局（ＢＳ）によって受信するための命令と、
走査継続時間中に、前記ＭＳによる再割り当てされないＭＩＭＯリソースのみの前記使用を前提にして第１の送信モードで前記ＭＳと通信するための命令と、
通常の継続時間中に、前記ＭＳによる前記再割り当てされた及び再割り当てされないＭＩＭＯリソースの前記使用を前提にして第２の送信モードで前記ＭＳと通信するための命令と、を備える、コンピュータプログラム記憶装置。
［３０］  前記ＲＡＴは、電気電子学会（ＩＥＥＥ）８０２．１６規格系統の１つ以上の規格に準拠する［２９］に記載のコンピュータプログラム記憶装置。
［３１］  再割り当てする前記ＭＳのＭＩＭＯリソースの組を示す要求メッセージをＲＡＴのＢＳによって受信するための前記命令は、再割り当てするＭＩＭＯリソースの前記組を示すモバイル走査要求メッセージを受信するための命令を備える［２９］に記載のコンピュータププログラム記憶装置。
［３２］  前記第１及び第２の送信モードは、異なる対応するデータレートを有する［２９］に記載のコンピュータプログラム記憶装置。
【図１】
0005507572.tif 000003
【図２】
0005507572.tif 000004
【図３】
0005507572.tif 000005
【図４】
0005507572.tif 000006
【図５】
0005507572.tif 000007
【図６】
0005507572.tif 000008
【図７】
0005507572.tif 000009
【図８】
0005507572.tif 000010
【図９】
0005507572.tif 000011
【図１０】
0005507572.tif 000012